(57)【要約】  災害発生時に、監視画面上で、かご位置の表示が不連続となることを防止することができるエレベータ監視システムを提供する。このため、エレベータのかご位置階を検出するかご位置情報サーチ装置と、かご位置階を示す記号とかごを示す記号とを対応させて表示する表示装置と、かご位置階の変化に応じた距離と変化に要した時間とに基づいて、かごの速度を算出する速度算出装置と、かごの速度が増加した場合に、かご位置階を示す記号の表示単位を増加させる表示単位決定装置と、表示装置に、表示単位決定装置が決定した表示単位で、かご位置階を示す記号を表示させる表示制御装置とを備えた。
2010044166.tif 000002
【特許請求の範囲】
【請求項１】
エレベータのかご位置階を検出するかご位置情報サーチ装置と、
前記かご位置階を示す記号と前記かごを示す記号とを対応させて表示する表示装置と、
前記かご位置階の変化に応じた距離と前記変化に要した時間とに基づいて、前記かごの速度を算出する速度算出装置と、
前記かごの速度が増加した場合に、前記かご位置階を示す記号の表示単位を増加させる表示単位決定装置と、
前記表示装置に、前記表示単位決定装置が決定した表示単位で、かご位置階を示す記号を表示させる表示制御装置と、
を備えたことを特徴とするエレベータ監視システム。
【請求項２】
前記表示単位決定装置は、前記かごの速度が予め設定された閾値よりも小さい場合は、前記表示単位を１階に決定することを特徴とする請求項１記載のエレベータ監視システム。
【請求項３】
前記速度算出装置は、前記かご位置階の変化前後の時間を計測し、前記変化前後の時間の差分を、前記変化に要した時間として、前記かごの速度を算出することを特徴とする請求項１又は請求項２に記載のエレベータ監視システム。
【請求項４】
前記かご位置情報サーチ装置は、前記かご位置階を一定周期毎に検出し、
前記速度算出装置は、前記一定周期の間隔と前記かご位置階が変化するまでに行ったかご位置階の検出回数との積を、前記変化に要した時間として、前記かごの速度を算出することを特徴とする請求項１又は請求項２に記載のエレベータ監視システム。
【発明の詳細な説明】
【技術分野】
【０００１】
この発明は、表示装置にエレベータのかご位置階を表示させるエレベータ監視システムに関するものである。
【背景技術】
【０００２】
一般に、エレベータの監視画面の更新周期は、監視画面に表示するデータ作成時間、表示に要する時間、ユーザの操作を受け付ける為のウエイト時間に基づいて決定される。この更新周期が、エレベータ状態データの受信周期よりも短い場合、エレベータ監視システムは、エレベータ状態データを連続的に表示することができる。【０００３】
近年、ビルの高層化に伴い、エレベータも高速化している。即ち、エレベータの高速化につれ、エレベータの階床情報がより短い間隔で変化するようになってきている。従って、エレベータの状態データを監視画面に連続的に表示するためには、更新周期を、より短くする必要がある。【０００４】
ここで、表示装置の画面上に、エレベータの動作に同期してかご部品を表示する手段、前記かご部品に階床を指し示す部品でアナログ表示する手段、背景色を交互に変化させる手段、前記かご部品に階床を指し示す部品を上下に移動させる手段、かご部品に階床をデジタル表示する手段等を有し、グラフィカルな監視画面を表示するものが提案されている（例えば、特許文献１参照）。【０００５】
【特許文献１】日本特開２００３−２４６５５９号公報
【発明の開示】
【発明が解決しようとする課題】
【０００６】
しかし、特許文献１に記載のものは、画面表示すべき情報量が多くなり、監視画面に表示するデータ作成時間、表示に要する時間に多くの時間を要する。このため、特に、高速エレベータを監視する場合、監視画面上で、かご位置の表示が不連続となってしまうという問題があった。【０００７】
この発明は、上述のような課題を解決するためになされたもので、その目的は、監視画面上で、かご位置の表示が不連続となることを防止することができるエレベータ監視システムを提供することである。
【課題を解決するための手段】
【０００８】
この発明に係るエレベータ監視システムは、エレベータのかご位置階を検出するかご位置情報サーチ装置と、前記かご位置階を示す記号と前記かごを示す記号とを対応させて表示する表示装置と、前記かご位置階の変化に応じた距離と前記変化に要した時間とに基づいて、前記かごの速度を算出する速度算出装置と、前記かごの速度が増加した場合に、前記かご位置階を示す記号の表示単位を増加させる表示単位決定装置と、前記表示装置に、前記表示単位決定装置が決定した表示単位で、かご位置階を示す記号を表示させる表示制御装置とを備えたものである。
【発明の効果】
【０００９】
この発明によれば、監視画面上で、かご位置の表示が不連続となることを防止することができる。
【図面の簡単な説明】
【００１０】
【図１】この発明の実施の形態１におけるエレベータ監視システムのブロック図である。
【図２】この発明の実施の形態１におけるエレベータ監視システムがかごの速度を算出する動作を示すフローチャートである。
【図３】この発明の実施の形態１におけるエレベータ監視システムが表示する画面の第１の例である。
【図４】この発明の実施の形態１におけるエレベータ監視システムが表示する画面の第２の例である。
【図５】この発明の実施の形態２におけるエレベータ監視システムのブロック図である。
【符号の説明】
【００１１】
１  エレベータ制御装置、  ２  監視装置、  ３  表示装置、  ４  タイマー装置、
５  かご位置情報サーチ装置、  ６  記憶装置、  ７  速度算出装置、
８  表示単位決定装置、  ９  表示制御装置、  １０  日時情報、
１１  フラグ情報、  １２  かごの速度、  １３  表示単位情報、  
１４  階表示記号、  １５  かご表示記号、  １６  カウンタ値
【発明を実施するための最良の形態】
【００１２】
この発明を実施するための最良の形態について添付の図面に従って説明する。なお、各図中、同一又は相当する部分には同一の符号を付しており、その重複説明は適宜に簡略化ないし省略する。【００１３】
実施の形態１．
図１はこの発明の実施の形態１におけるエレベータ監視システムのブロック図である。
図１において、１はエレベータ制御装置である。このエレベータ制御装置１は、エレベータ機械室又は昇降路に設けられる。２は監視装置である。この監視装置２は、ビルの管理人室に設けられる。３は表示装置である。この表示装置３も、ビルの管理人室に設けられる。かかる構成のエレベータ監視システムにおいては、エレベータ制御装置１が、エレベータ状態データを送信する。監視装置２は、エレベータ状態データに基づいて、エレベータ状態データの表示方法を決定する。表示装置３は、監視装置２が決定した表示方法に基づいて、エレベータ状態データに基づく画面を表示する。【００１４】
次に、監視装置２を、より詳細に説明する。
監視装置２は、タイマー装置４、かご位置情報サーチ装置５、記憶装置６、速度算出装置７、表示単位決定装置８、表示制御装置９を備える。タイマー装置４は、日時情報１０を送信する機能を備える。かご位置情報サーチ装置５は、エレベータ制御装置１から、エレベータ状態データを受信する機能を備える。また、かご位置情報サーチ装置５は、エレベータ状態データの中に、かご位置階情報が含まれるか否かを判断する機能を備える。即ち、かご位置情報サーチ装置５は、かご位置階を検出する機能を備える。【００１５】
記憶装置６は、階高情報を記憶する機能を備える。この階高情報とは、かごの移動距離に相当する１階床分の高さを意味する。この階高情報は、便宜的に、４ｍ等の固定値としてもよいし、実際のビルの階高値としてもよい。また、記憶装置６は、エレベータ状態データの中にかご位置階情報が含まれてない場合に、かご位置情報サーチ装置５から、エレベータ状態データを受信し、上書き保存する機能を備える。【００１６】
速度算出装置７は、エレベータ状態データの中にかご位置階情報が含まれている場合に、かご位置情報サーチ装置５から、エレベータ状態データを受信する機能を備える。また、速度算出装置７は、エレベータ状態データを受信したときに、エレベータ状態データとともにフラグ情報１１を、記憶装置６に送信する機能を備える。このとき、フラグ情報１１を受信した記憶装置６は、タイマー装置４から日時情報１０を受信し、エレベータ状態データと日時情報１０を対応付けて記憶する。即ち、記憶装置６は、エレベータ状態データの中にかご位置階情報が含まれているか否かに関わらず、常時、最新のエレベータ状態データを記憶する機能を備える。【００１７】
さらに、速度算出装置７は、かご位置階情報の変化に応じた距離とその変化に要した時間とに基づいて、かごの速度１２を算出する機能を備える。具体的には、速度算出装置７は、かご位置階情報に変化に応じた距離として、記憶装置６に記憶した階高情報を利用する。また、速度算出装置７は、かご位置階の変化に要した時間として、かご位置階の変化前後の時間を計測し、その変化の時間の差分を利用する。【００１８】
表示単位決定装置８は、かごの速度１２が増加した場合に、かご位置階を示す階表示記号の表示単位情報１３を増加させてまとめる機能を備える。具体的には、表示単位決定装置８は、かごの速度１２を予め設定された閾値（ＴＨ）と比較する。そして、かごの速度１２の値が閾値（ＴＨ）よりも小さい場合、表示単位決定装置８は、かご位置階情報の受信周期が長く、かご位置の表示が連続となる可能性が高いと判断する。この場合、表示単位決定装置８は、かご位置階を示す記号の表示単位情報１３を「１階床」と決定する。一方、かごの速度１２の値が閾値（ＴＨ）よりも大きい場合、表示単位決定装置８は、かご位置階情報の受信周期が短く、かご位置の表示が不連続となる可能性が高いと判断する。この場合、表示単位決定装置８は、例えば、かご位置階を示す記号の表示単位情報１３を「２階床」と決定する。【００１９】
表示制御装置９は、一定周期毎に、表示装置３に、表示単位決定装置８が決定した表示単位情報１３で、かご位置階を示す階表示記号を表示させるとともに、記憶装置６に記憶された最新のエレベータ状態データを表示させる機能を備える。これにより、ユーザの操作を受け付ける為のウエイト時間を確保しつつ、かご位置階を示す階表示記号が、動的に変化しながら表示装置３に表示される。【００２０】
次に、図２を用いて、かごの速度１２の算出方法を、より詳細に説明する。
図２はこの発明の実施の形態１におけるエレベータ監視システムがかごの速度を算出する動作を示すフローチャートである。【００２１】
まず、ステップＳ１では、速度算出装置７が、エレベータ制御装置１から、少なくともかご位置階情報を含むエレベータ状態データを受信する。このとき、速度算出装置７は、記憶装置６に記憶された日時情報１０を読み込み、ステップＳ２に進む。ステップＳ２では、速度算出装置７から、エレベータ状態データとフラグ情報１１とが、記憶装置６に送信され、ステップＳ３に進む。ステップＳ３では、速度算出装置７が、タイマー装置４から現在の日時情報１０を受信した後、現在の日時情報１０と読み出した日時情報１０の差分を算出し、ステップＳ４に進む。ステップＳ４では、階高情報を日時情報１０の差分で除することにより、かごの速度１２が算出される。例えば、階高情報が４ｍ、日時情報１０の差分が１秒の場合、かごの速度１２は、秒速４ｍと算出される。【００２２】
次に、図３及び図４を用いて、表示装置３に表示される画面を、より詳細に説明する。
図３はこの発明の実施の形態１におけるエレベータ監視システムが表示する画面の第１の例である。図４はこの発明の実施の形態１におけるエレベータ監視システムが表示する画面の第２の例である。【００２３】
図３及び図４において、画面の左側には、階を示す階表示記号１４が表示される。具体的には、図３には、具体的には、図３においては、１階乃至８階までを示す階表示記号１４が、表示単位を「１階床」として、鉛直方向に並んで表示される。一方、図４には、１階乃至１６階までを示す階表示記号１４が、表示単位を「２階床」として、鉛直方向に並んで表示される。【００２４】
そして、画面の中央及び右側には、かご位置階を示す階表示記号１４に対応して、かごを示すかご表示記号１５が表示される。具体的には、画面の中央には、４階を示す階表示記号１４に対応して、上昇中のかご表示記号１５が表示される。また、画面の右側には、７階を示す階表示記号１４に対応して、下降中のかご表示記号１５が表示される。【００２５】
以上で説明した実施の形態１によれば、かごの速度１２の増加した場合に、かご位置階を示す記号の表示単位情報１３が増加する。このため、エレベータ状態データの更新が複数回なされるまでに、表示装置３の画面を更新すればよく、かご位置の表示が不連続となることを防止することができる。また、かごの速度１２の値が閾値（ＴＨ）よりも小さい場合は、階表示記号１４の表示単位が１階となる。このため、かごの低速走行時は、かご位置階を正確に把握することができる。さらに、速度算出装置７は、かご位置階の変化前後の時間を計測し、変化前後の時間の差分を、変化に要した時間として、かごの速度１２を算出する。このため、簡素な装置構成で、かご位置の表示が不連続となることを防止することができる。【００２６】
実施の形態２．
図５はこの発明の実施の形態２におけるエレベータ監視システムのブロック図である。なお、実施の形態１と同一又は相当部分には同一符号を付して説明を省略する。
実施の形態１においては、タイマー装置４が設けられていた。一方、実施の形態２においては、タイマー装置４は設けられていない。【００２７】
実施の形態２においては、エレベータ制御装置１が、一定周期で、エレベータ状態データを監視装置２に送信する。即ち、かご位置情報サーチ装置５が、一定周期で、かご位置階情報を検出する。このとき、かご位置情報サーチ装置５は、かご位置階情報が変化した後、次にかご位置階情報が変化するまでの間に行った、かご位置階情報の検出回数をカウントする。そして、かご位置情報サーチ装置５は、検出回数に対応したカウント値１５を速度算出装置７に出力するとともに、カウント値１５を初期化する。この場合、速度算出装置７は、一定周期の間隔とカウンタ値１６との積をかご位置階情報の変化に要した時間として、かごの速度１２を算出する。具体的には、一定周期の間隔を２０ミリ秒、カウント値１６が５の場合、かご位置階の変化に要した時間は、１秒と算出される。【００２８】
以上で説明した実施の形態２によれば、一定周期の間隔とカウンタ値１６との積で、かご位置階の変化に要した時間が算出される。このため、実施の形態１において必要とされたタイマー装置４、記憶装置６による日時情報１０の記憶処理、日時情報１０の読み込み処理、フラグ情報１１処理の送信処理が不要となる。即ち、より簡素な装置構成で、かご位置の表示が不連続となることを防止することができる。
【産業上の利用可能性】
【００２９】
以上のように、この発明にかかるエレベータ監視システムによれば、かご位置階を監視するエレベータに利用できる。
【図１】
2010044166.tif 000003
【図２】
2010044166.tif 000004
【図３】
2010044166.tif 000005
【図４】
2010044166.tif 000006
【図５】
2010044166.tif 000007
【国際調査報告】
2010044166.tif 000008
2010044166.tif 000009